(57)【特許請求の範囲】
【請求項１】
建物内部の被空調空間を、空調装置により、快適性優先モードと、経済性優先モードとの二モードを切り替え可能に制御する空調の制御システムであって、
前記経済性優先モードは、前記空調装置を停止せずに、人が不快でない程度の温度を維持するものであり、
タイムスケジュールに従って、前記二モードを切り替えるタイムスケジュール運転制御と、
前記被空調空間内に設けた人感センサーにより人が在であるか不在であるかの状況の検知結果から前記二モードを切り替える人感センサー検知結果反映運転制御とを組み合わせて前記空調装置を運転制御するものであり、
前記タイムスケジュール運転制御における前記快適性優先モード時に、前記人感センサーによる検知結果で人が不在である状況が所定時間以上継続すると、前記経済性優先モードに変更制御する一方、
前記タイムスケジュール運転制御における前記経済性優先モード時に、前記人感センサーによる検知結果で人が在である状況が継続しても、前記経済性優先モードのまま制御することを特徴とする空調の制御システム。
【請求項２】
前記人感センサーによる検知結果は反映させず、タイムスケジュール運転制御のみで運転制御するタイムスケジュール運転制御優先時間帯が設定可能とされていることを特徴とする請求項１に記載の空調の制御システム。
【請求項３】
前記所定時間は、複数設定可能であることを特徴とする請求項１又は２に記載の空調の制御システム。
【請求項４】
請求項１乃至３のいずれか１項に記載の空調の制御システムを備えていることを特徴とする空調システム。
【請求項５】
前記空調装置は、前記建物の床下空間に設置されていることを特徴とする請求項４に記載の空調システム。
【請求項６】
前記空調装置は、前記被空調空間である床上空間を空調する床上空調及び床下空調が可能であり、前記制御システムにより、前記床上空調を運転制御することを特徴とする請求項５に記載の空調システム。
【請求項７】
請求項４乃至６のいずれか１項に記載の空調システムを備えていることを特徴とする建物。
【発明の詳細な説明】
【技術分野】
【０００１】
本発明は、空調の制御システム、この制御システムを備えた空調システム、及びこの空調システムを備えた建物に関するものである。
【背景技術】
【０００２】
従来から、建物内の空調装置を時間帯によってオン・オフするなどのタイムスケジュールに従ったタイムスケジュール運転制御をすることが可能な空調システムが知られている。
【０００３】
また、建物内の空調システムを、人感センサーを用いて自動で効率的に制御する制御システムについても多数提案されている（例えば特許文献１等を参照）。
【先行技術文献】
【特許文献】
【０００４】
【特許文献１】特開２０１１−２２０６０８号公報
【発明の概要】
【発明が解決しようとする課題】
【０００５】
しかしながら、上記した従来のタイムスケジュール運転制御をすることが可能な空調システムだけでは、建物の居住者等の行動が必ずしもタイムスケジュール通りにならないこともよくあるため、例えば、ある時間帯において、空調装置が長時間オンの状態になっているのに、一時も居住者等がおらず、まるまるその時間帯の空調が無駄になり、経済性に欠く場合があった。
【０００６】
一方で、特許文献１のような従来の人感センサーを用いた空調の制御システムでは、人感センサーが居住者等の居ることを検知してから空調装置がオンとなるため、特に、建物の内外での気温差が激しいときなどには、被空調空間が快適な温度に達するまでに時間がかかり、快適性に欠く場合があった。
【０００７】
そこで、本発明は、経済性と快適性とのバランスがとれた空調の制御システム、この制御システムを備えた空調システム、及びこの空調システムを備えた建物を提供することを目的としている。
【課題を解決するための手段】
【０００８】
前記目的を達成するために、本発明の空調の制御システムは、建物内部の被空調空間を、空調装置により、快適性優先モードと、経済性優先モードとの二モードを切り替え可能に制御する空調の制御システムであって、タイムスケジュールに従って、前記二モードを切り替えるタイムスケジュール運転制御と、前記被空調空間内に設けた人感センサーにより人が在であるか不在であるかの状況の検知結果から前記二モードを切り替える人感センサー検知結果反映運転制御とを組み合わせて前記空調装置を運転制御するものであり、前記タイムスケジュール運転制御における前記快適性優先モード時に、前記人感センサーによる検知結果で人が不在である状況が所定時間以上継続すると、前記経済性優先モードに変更制御する一方、前記タイムスケジュール運転制御における前記経済性優先モード時に、前記人感センサーによる検知結果で人が在である状況が継続しても、前記経済性優先モードのまま制御することを特徴とする。
【０００９】
ここで、前記人感センサーによる検知結果は反映させず、タイムスケジュール運転制御のみで運転制御するタイムスケジュール運転制御優先時間帯が設定可能とされているとよい。
【００１０】
また、前記所定時間は、複数設定可能であるとよい。
【００１１】
さらに、前記経済性優先モードは、前記空調装置を停止せずに、人が不快でない程度の温度を維持するものであるとよい。
【００１２】
本発明の空調システムは、上記した本発明の空調の制御システムを備えていることを特徴とする。
【００１３】
ここで、前記空調装置は、前記建物の床下空間に設置されているとよい。
【００１４】
また、前記空調装置は、前記被空調空間である床上空間を空調する床上空調及び床下空調が可能であり、前記制御システムにより、前記床上空調を運転制御するとよい。
【００１５】
本発明の建物は、上記した本発明の空調システムを備えていることを特徴とする。
【発明の効果】
【００１６】
このような本発明の空調の制御システムは、建物内部の被空調空間を、空調装置により、快適性優先モードと、経済性優先モードとの二モードを切り替え可能に制御する空調の制御システムである。
【００１７】
そして、タイムスケジュールに従って、二モードを切り替えるタイムスケジュール運転制御と、被空調空間内に設けた人感センサーにより人が在であるか不在であるかの状況の検知結果から二モードを切り替える人感センサー検知結果反映運転制御とを組み合わせて空調装置を運転制御するものである。
【００１８】
そのうえで、タイムスケジュール運転制御における快適性優先モード時に、人感センサーによる検知結果で人が不在である状況が所定時間以上継続すると、経済性優先モードに変更制御する一方、タイムスケジュール運転制御における経済性優先モード時に、人感センサーによる検知結果で人が在である状況が継続しても、経済性優先モードのまま制御する構成とされている。
【００１９】
上記した構成なので、例えば、建物の居住者等の行動がタイムスケジュール通りにならず、タイムスケジュール運転制御における快適性優先モード時に、一時も居住者等が被空調空間に居ないと、経済性優先モードに変更制御するため、その分経済性に優れている。
【００２０】
また、タイムスケジュール運転制御における快適性優先モード時に、居住者等が被空調空間に居たときは、タイムスケジュール通りに運転制御するため、快適性もほぼ確保することができる。
【００２１】
また、タイムスケジュール運転制御における経済性優先モード時に、居住者等が被空調空間に居たときには、経済性優先モードのまま制御するので、想定外の空調費用が発生せず、経済性に優れている。
【００２２】
さらに、経済性優先モードを、空調装置を完全な運転停止状態にするのではなく、居住者等が不快でない程度の温度を維持する運転とすれば、より快適性を確保することができる。
【００２３】
すなわち、従来の空調の制御システムに比して、経済性と快適性とのバランスがとれている。
【００２４】
ここで、人感センサーによる検知結果は反映させず、タイムスケジュール運転制御のみで運転制御するタイムスケジュール運転制御優先時間帯が設定可能とされている場合は、例えば、深夜時間帯に居住者などがほとんど居ない居間などでは、経済性優先モードに設定しておけば、居住者などが入って来ても短時間で出て行く可能性が高いので、経済性優先モードのまま制御されて経済的であるし、また、早朝時間帯では、快適性優先モードに設定しておけば、居住者などが、起床した時点で居間は快適な状態になっている。
【００２５】
また、所定時間は、複数設定可能である場合は、人の行動パターンに合わせて経済性と快適性とのバランスをとるのに有利である。
【００２６】
具体的には、この所定時間としては通常１０分程度が妥当である。即ち、人感センサーの検知結果で人が不在である状況が１０分程度以上継続したら、快適性優先モードから経済性優先モードに切り替える。但し、タイマースケジュール運転制御で、経済性優先モードから快適性優先モードに切り替えられるのは、その切り替え後、人が在である状況となる確率が高く、予め快適な環境にしておきたいからであるので、快適性優先モードへの切り替え後は、この所定時間を１０分よりも長く、例えば、６０分程度とすれば、短時間で経済性優先モードに切り替わって（戻って）しまうのを防止することができる。
【００２７】
このような本発明の空調システムは、上記した本発明の空調の制御システムを備えた構成とされている。
【００２８】
上記した構成なので、上記した本発明の空調の制御システムの効果を奏する空調システムとすることができる。
【００２９】
ここで、空調装置は、建物の床下空間に設置されている場合は、床上空間が空調装置に占有されない分のスペースを有効利用することができる。
【００３０】
また、空調装置は、被空調空間である床上空間を空調する床上空調及び床下空調が可能であり、制御システムにより、床上空調を運転制御する場合は、例えば、床下空調を床上空調とほぼ同じタイムスケジュール運転制御だけで運転すれば、床下空調による余熱により、経済性優先モードのときもより快適性が増す。
【００３１】
このような本発明の建物は、上記した本発明の空調システムを備えた構成とされている。
【００３２】
上記した構成なので、上記した本発明の空調システムの効果を奏する建物とすることができる。
【図面の簡単な説明】
【００３３】
【図１】実施例の空調システムを備えた建物の概略構成を示す説明図である。
【図２】実施例の空調の制御システムの概略構成を示すブロック図である。
【図３】実施例の空調の制御システムによる標準仕様設定の具体例を示すタイムチャートである。
【発明を実施するための形態】
【００３４】
以下、本発明を実施するための形態を、図面に示す実施例に基づいて説明する。
【実施例】
【００３５】
先ず、実施例の構成について説明する。
【００３６】
図１は、実施例の空調システムを備えた建物１の概略構成を示している。
【００３７】
この建物１は、断熱基礎として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００３８】
そして、この天井部１ｅと外壁部１ｄとに囲まれる空間は、床部１ａによって床下空間３と居室などに用いられる被空調空間としての床上空間６とが区切られた構成となっている。
【００３９】
また、基礎側壁コンクリート１ｃの床下空間３側には、グラスウールなどの断熱材２が取り付けられており、床下空間３内の熱が屋外に極力漏れない断熱構造となっている。
【００４０】
そして、床下空間３内には、吹出型の空調装置としてのエアコンディショナーの屋内機５が設置されている。
【００４１】
ここで、このエアコンディショナーの屋内機５は、ヒートポンプ式であり、熱媒循環管路により、建物１の屋外に設置された屋外機４と接続されている。
【００４２】
また、このエアコンディショナーの屋内機５は、除湿機能を有し、床下空間３から屋外へ貫通する排水用のドレイン７が設けられている。
【００４３】
さらに、このエアコンディショナーの屋内機５は、吸込部５１と、床上用吹出部５２，５２と、床下用吹出部５３とを有している。
【００４４】
また、このエアコンディショナーの屋内機５には、床上用吹出部５２，５２及び床下用吹出部５３から空気を様々な強さで吹き出させることが可能なファン（図示せず）と、制御部５４と、記憶部５５とが内蔵されている。
【００４５】
さらに、床上用吹出部５２，５２と床下用吹出部５３とには、電動ダンパーなどから成る開閉弁５２ａ，５３ａがそれぞれ設けられている。
【００４６】
また、このエアコンディショナーの屋内機５には、制御部５４に床下空間３の温度データを有線又は無線で送る温度センサー５ａが取り付けられている。
【００４７】
さらに、床部１ａには、グリル付きの、排気口９と、２種類の給気口１０，１０，１１とが設けられている。
【００４８】
ここで、給気口１０，１０は、ダクト８２により、エアコンディショナーの屋内機５の床上用吹出部５２とそれぞれ接続されており、別の給気口１１は、ダクトを介さず、床下空間３と直接連通している。
【００４９】
また、エアコンディショナーの屋内機５の吸込部５１と排気口９との間もダクト８１で接続されている。
【００５０】
さらに、床上空間６内には、人感センサー１２が設けられ、この人感センサー１２は、制御部５４と有線又は無線で接続されている。
【００５１】
また、床上空間６内には、コントローラとしてのリモートコントローラ１３も設けられている。
【００５２】
さらに、このリモートコントローラ１３には、制御部５４に床上空間６の温度データを有線又は無線で送る温度センサー１３ａが内蔵されている。
【００５３】
次に、実施例１の空調の制御システムＳについて説明する。
【００５４】
図２は、実施例１の空調の制御システムＳの概略構成を示している。
【００５５】
この実施例１の空調の制御システムＳは、吹出型の空調装置としてのエアコンディショナーの屋内機５に内蔵された制御部５４及び記憶部５５と、人感センサー１２と、温度センサー１３ａが内蔵されたコントローラとしてのリモートコントローラ１３とから主に構成される。
【００５６】
そして、記憶部５５には、標準仕様設定である自動制御設定及びこの自動制御設定時におけるタイムスケジュール運転制御などの制御パターンが記憶されている。
【００５７】
ここで、この自動制御設定時においては、基本的には、床上用吹出部５２，５２から空調空気（暖気又は冷気）を吹き出し、給気口１０，１０から床上空間６に空調空気が吹き出す床上空調、及び床下用吹出部５３から空調空気（暖気又は除湿空気）を吹き出し、床下空間３に空調空気が吹き出す床下空調は、ともに、人が快適と感じる温度環境とする快適性優先モードと、人が不快ではない程度の温度環境とする経済性優先モードとの二モードを切り替えるタイムスケジュール運転制御がなされる。
【００５８】
さらに、床上空調では、被空調空間としての床上空間６内に設けた人感センサー１２により人が在であるか不在であるかの状況の検知結果からこれら二モードを切り替える人感センサー検知結果反映運転制御とを組み合わせて空調装置としてのエアコンディショナーの屋内機５を運転制御するものである。
【００５９】
より詳細には、床上空調では、タイムスケジュール運転制御における快適性優先モード時に、人感センサー１２による検知結果で人が不在である状況が所定時間（例えば１０分）以上継続すると、経済性優先モードに変更制御する一方、タイムスケジュール運転制御における経済性優先モード時に、人感センサー１２による検知結果で人が在である状況が継続しても、経済性優先モードのまま制御する。
【００６０】
また、人感センサー１２による検知結果は反映させず、タイムスケジュール運転制御のみで運転制御するタイムスケジュール運転制御優先時間帯が設定可能とされている。
【００６１】
なお、床上空調の制御では、温度センサー１３ａで検知される床上空間６内の温度データに基づいてなされ、目標温度とその目標温度との開きを計算に入れ、運転のオン・オフ及び強弱の制御がなされる。
【００６２】
勿論、温度センサー１３ａで検知した温度データが既に目標温度を示しているときは、この制御はなされない。
【００６３】
また、床下空調の制御では、温度センサー５ａで検知される床下空間３内の温度データに基づいてなされ、目標温度とその目標温度との開きを計算に入れ、運転のオン・オフ及び強弱の制御がなされる。
【００６４】
勿論、温度センサー５ａで検知した温度データが既に目標温度を示しているときは、この制御はなされない。
【００６５】
さらに、床下空調により床下空間３に吹き出された空調空気の一部は、給気口１１から床上空間６に吹き出される。
【００６６】
また、リモートコントローラ１３によって、この標準仕様設定のオン・オフ、調整、及び変更が可能であり、特に、調整や変更があった場合には、記憶部５５が記憶し、記憶部５５は、その頻度が高い場合は、標準仕様設定に反映させる学習機能を有している。
【００６７】
次に、実施例の空調の制御システムＳによる制御についてより具体的に説明する。
【００６８】
図３は、実施例の空調システムの制御装置Ｓによる標準仕様設定の具体例（前日の２３時から翌日の２３時までの１日分）を示すタイムチャートである。
【００６９】
ここで、この標準仕様設定は、床上空間６が居間で、冬場の平日を想定したモデルケースである。
【００７０】
なお、このタイムチャートでは、上段にタイムスケジュール運転制御を示し、中段に人感センサー１２による検知結果を示し、下段にこの人感センサー１２による検知結果を反映させた床上空調の運転制御を示している。
【００７１】
上段、下段の線図において、山の部分が快適性優先モードＴ１を示し、谷の部分が経済性優先モードＴ０を示す。
【００７２】
先ず、床下空調では、快適性優先モードＴ１（例えば目標温度２２℃）と、経済性優先モードＴ０（例えば目標温度１７℃）との二モードを切り替えるタイムスケジュール運転制御のみがなされる。
【００７３】
具体的には、前日の２３時から翌日の４時までは経済性優先モードＴ０とし、４時から９時までは快適性優先モードＴ１とし、９時から１２時までは経済性優先モードＴ０とし、１２時から１４時までは快適性優先モードＴ１とし、１４時から１６時までは経済性優先モードＴ０とし、１６時から２３時までは快適性優先モードＴ１とする。
【００７４】
一方、床上空調でも、基本的には、床下空調とほぼ同じ（快適性優先モードＴ１（例えば目標温度２２℃）と、経済性優先モードＴ０（例えば目標温度１７℃）との二状態に切り替える）タイムスケジュール運転制御がなされるが、更に人感センサー１２により人が在であるか不在であるかの状況の検知結果から二モードを切り替える人感センサー検知結果反映運転制御を組み合わせて制御する。
【００７５】
具体的には、前日の２３時から翌日の７時までは、人感センサー１２による検知結果は反映させず、タイムスケジュール運転制御のみで運転制御するタイムスケジュール運転制御優先時間帯が設定されている。
【００７６】
そして、７時から２３時までは、人感センサー検知結果反映運転制御が機能する。
【００７７】
図示例では、６時に人が居間（床上空間６）に入って来て、人感センサー１２による検知結果で、６時から８時まで人が在である状況が継続し、８時に人が出て行き、８時から８時１０分までの１０分の間、人が不在である状況が継続したので、８時１０分に快適性優先モードＴ１から経済性優先モードＴ０に変更する制御がなされている。
【００７８】
そして、タイムスケジュール運転制御では快適性優先モードＴ１で制御される予定であった９時までも、人感センサー１２による検知結果で、人が不在である状況が継続したので、経済性優先モードＴ０のままに制御されている。
【００７９】
また、１０時に人が入って来て、１１時に出て行ったので、人感センサー１２による検知結果で、１０時から１１時まで人が在である状況が継続しているが、タイムスケジュール運転制御で経済性優先モードＴ０にする時間帯なので、この時間内は経済性優先モードＴ０のまま制御されている。
【００８０】
さらに、１２時にタイムスケジュール運転制御通り、経済性優先モードＴ０から快適性優先モードＴ１に切り替わる制御がなされるが、人感センサー１２による検知結果で、１２時から１３時までの６０分間、人が不在である状況が継続したので、１３時に快適性優先モードＴ１から経済性優先モードＴ０に変更する制御がなされている。
【００８１】
そして、タイムスケジュール運転制御では快適性優先モードＴ１で制御される予定であった１４時までも、人感センサー１２による検知結果で、人が不在である状況が継続したので、経済性優先モードＴ０のままに制御されている。
【００８２】
また、１６時にタイムスケジュール運転制御通り、経済性優先モードＴ０から快適性優先モードＴ１に切り替わる制御がなされ、１６時３０分に人が入って来て、人感センサー１２による検知結果で、人が在である状況が１分以上継続したので、継続して快適性優先モードＴ１のまま制御されている。
【００８３】
そして、２０時に人が出て行き、人感センサー１２による検知結果で、２０時から２０時１０分までの１０分の間、人が不在である状況が継続したので、２０時１０分に快適性優先モードＴ１から経済性優先モードＴ０に変更する制御がなされている。
【００８４】
さらに、２１時に人が入って来て、人感センサー１２による検知結果で、２１時から２１時１分までの１分の間、人が在である状況が継続したので、２１時１分に経済性優先モードＴ０から快適性優先モードＴ１に変更する制御がなされ、２１時１分以降も、人が在である状況が継続したので、タイムスケジュール運転制御通り、継続して快適性優先モードＴ１のまま制御されている。
【００８５】
次に、実施例の作用効果について説明する。
【００８６】
このような実施例の空調の制御システムＳは、建物１内部の被空調空間としての床上空間６を、空調装置としてのエアコンディショナーの屋内機５により、快適性優先モードＴ１と、経済性優先モードＴ０との二モードを切り替え可能に制御する空調の制御システムである。
【００８７】
そして、タイムスケジュールに従って、二モードを切り替えるタイムスケジュール運転制御と、床上空間６内に設けた人感センサー１２により人が在であるか不在であるかの状況の検知結果から二モードを切り替える人感センサー検知結果反映運転制御とを組み合わせてエアコンディショナーの屋内機５を運転制御するものである。
【００８８】
そのうえで、タイムスケジュール運転制御における快適性優先モードＴ１時に、人感センサー１２による検知結果で人が不在である状況が設定した所定時間以上継続すると、経済性優先モードＴ０に変更制御する一方、タイムスケジュール運転制御における経済性優先モードＴ０時に、人感センサー１２による検知結果で人が在である状況が継続しても、経済性優先モードＴ０のまま制御する構成とされている。
【００８９】
上記した構成なので、例えば、建物１の居住者等の行動がタイムスケジュール通りにならず、タイムスケジュール運転制御における快適性優先モードＴ１時に、一時も居住者等が被空調空間としての床上空間６に居ないと、経済性優先モードＴ０に変更制御するため、その分経済性に優れている。
【００９０】
また、タイムスケジュール運転制御における快適性優先モードＴ１時に、居住者等が被空調空間としての床上空間６に居たときは、タイムスケジュール通りに運転制御するため、快適性もほぼ確保することができる。
【００９１】
また、タイムスケジュール運転制御における経済性優先モードＴ０時に、居住者等が被空調空間としての床上空間６に居たときには、経済性優先モードＴ０のまま制御するので、想定外の空調費用が発生せず、経済性に優れている。
【００９２】
さらに、経済性優先モードＴ０を、空調装置としてのエアコンディショナーの屋内機５を完全な運転停止状態にするのではなく、居住者等が不快でない程度の温度を維持する運転としているので、より快適性を確保することができる。
【００９３】
すなわち、従来の空調の制御システムに比して、経済性と快適性とのバランスがとれている。
【００９４】
ここで、人感センサー１２による検知結果は反映させず、タイムスケジュール運転制御のみで運転制御するタイムスケジュール運転制御優先時間帯が設定可能とされている。
【００９５】
このため、例えば、深夜時間帯に居住者などがほとんど居ない居間などでは、経済性優先モードＴ０に設定しておけば、居住者などが入って来ても短時間で出て行く可能性が高いので、経済性優先モードＴ０のまま制御されて経済的であるし、また、早朝時間帯では、快適性優先モードＴ１に設定しておけば、居住者などが、起床した時点で居間は快適な状態になっている。
【００９６】
また、快適性優先モードＴ１から経済性優先モードＴ０へ切り替えるための所定時間の設定は、複数設定可能である。
【００９７】
このため、居住者等の人の行動パターンに合わせて経済性と快適性とのバランスをとるのに有利である。
【００９８】
具体的には、この所定時間としては、上記したように通常１０分程度が妥当である。即ち、人感センサー１２の検知結果で人が不在である状況が１０分程度以上継続したら、快適性優先モードＴ１から経済性優先モードＴ０に切り替える。但し、タイマースケジュール運転制御で、経済性優先モードＴ０から快適性優先モードＴ１に切り替えられるのは、その切り替え後、人が在である状況となる確率が高く、予め快適な環境にしておきたいからであるので、快適性優先モードＴ１への切り替え後は、この所定時間を１０分よりも長く、例えば、上記したように６０分程度とすれば、短時間で経済性優先モードＴ０に切り替わって（戻って）しまうのを防止することができる。
【００９９】
このような実施例の空調システムは、上記した実施例の空調の制御システムＳを備えた構成とされている。
【０１００】
上記した構成なので、上記した実施例の空調の制御システムＳの作用効果を奏する空調システムとすることができる。
【０１０１】
ここで、空調装置としてのエアコンディショナーの屋内機５は、建物１の床下空間３に設置されている。
【０１０２】
このため、床上空間６が空調装置としてのエアコンディショナーの屋内機５に占有されない分のスペースを有効利用することができる。
【０１０３】
また、空調装置エアコンディショナーの屋内機５は、被空調空間である床上空間６を空調する床上空調及び床下空調が可能であり、制御システムＳにより、床上空調を運転制御する。
【０１０４】
このため、床下空調を床上空調とほぼ同じタイムスケジュール運転制御だけで運転すれば、床下空調による余熱により、経済性優先状態Ｔ０のときもより快適性が増す。
【０１０５】
このような実施例の建物１は、上記した実施例の空調システムを備えた構成とされている。
【０１０６】
上記した構成なので、上記した実施例の空調システムの作用効果を奏する建物とすることができる。
【０１０７】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【０１０８】
例えば、上記した実施例では、建物１を、説明が簡単なように、単純な構造としたが、勿論、これに限定されず、より複雑な構造として実施してもよい。
【０１０９】
また、上記した実施例では、給気口１０を２つ設けて実施したが、これに限定されず、床上空間６の広さに合わせた数の給気口１０を設けて実施すればよい。
【０１１０】
さらに、上記した実施例では、主に、暖房運転の際のみについて記載したが、これに限定されず、本発明は、冷房運転の際にも適用できるものである。
【０１１１】
また、上記した実施例では、経済性優先モードＴ０のときの目標温度を１７℃として実施したが、これに限定されず、例えば、床上用吹出部５２からの空調空気の吹出しを完全にオフとして実施してもよい。
【０１１２】
さらに、上記した実施例では、本発明の空調の制御システムＳを、床下空間３に設置した空調装置としてのエアコンディショナーの屋内機５による床上空調に適用して実施したが、これに限定されず、例えば、通常の室内設置型のエアコンディショナーなどに適用して実施してもよい。
【符号の説明】
【０１１３】
１      建物
１ａ    床部
１ｂ    基礎底盤コンクリート
１ｃ    基礎側壁コンクリート
１ｄ    外壁部
１ｅ    天井部
２      断熱材
３      床下空間
４      エアコンディショナーの屋外機
５      エアコンディショナーの屋内機（空調装置）
５１    吸込部
５２    床上用吹出部
５２ａ  開閉弁
５３    床下用吹出部
５３ａ  開閉弁
５４    制御部
５５    記憶部
５ａ    温度センサー
６      床上空間（被空調空間）
７      ドレイン
８１    ダクト
８２    ダクト
９      排気口
１０    給気口
１１    別の給気口
１２    人感センサー
１３    リモートコントローラ（コントローラ）
１３ａ  温度センサー
Ｓ      制御システム
Ｔ１    快適性優先モード
Ｔ０    経済性優先モード
【要約】      （修正有）【課題】経済性と快適性とのバランスがとれた空調の制御システムを提供する。【解決手段】建物内部の床上空間を、エアコンディショナーの屋内機５により、快適性優先モードと、経済性優先状態モードとを切り替え可能に制御する空調の制御システムＳであって、二モードを切り替えるタイムスケジュール運転制御と、床上空間内に設けた人感センサー１２により人が在であるか不在であるか状況の検知結果から二モードを切り替える人感センサー検知結果反映運転制御とを組み合わせて制御するもので、快適性優先モード時に、人感センサー１２による検知結果で人が不在である状況が所定時間以上継続すると、経済性優先モードに変更制御する一方、経済性優先モード時に、人感センサー１２による検知結果で人が在である状況が継続しても、経済性優先モードのまま制御する構成とされている。【選択図】図２【図１】
0005530013.tif 000002
【図２】
0005530013.tif 000003
【図３】
0005530013.tif 000004